(57)【要約】【課題】搬送装置の下部に設けられた回転刃の圃場への突っ込みを防止した刈取前処理装置を提供する。【解決手段】左側搬送装置（１５）の支持フレーム（１２Ｂ）の前部に刈刃装置（２０）の回転刃（２１）を設け、左側搬送装置（１５）の支持フレーム（１２Ｂ）の前後方向での中間部に回転刃（２１）を駆動する駆動部（２３）を設け、支持フレーム（１２Ｂ）における回転刃（２１）と駆動部（２３）の前後方向での間の部位に左右方向に延在する支軸（６５）を設け、支軸（６５）に左側搬送装置（１５）の対地高さを測定する接地体（７１）の前部を支持した。【選択図】図３
2017209043.tif 000002
【特許請求の範囲】
【請求項１】
穀稈を搬送する搬送装置（１０）と、穀稈の株元を切断する刈刃装置（２０）と、搬送された穀稈を寄せ集めるオーガ装置（３０）と、寄せ集められた穀稈を脱穀装置（４）に搬送するフィーダハウス（４０）を備える刈取前処理装置において、
前記搬送装置（１０）は、左側に配置された第１搬送装置（１０Ａ）と右側に配置された第２搬送装置（１０Ｂ）で構成され、
該第１搬送装置（１０Ａ）と第２搬送装置（１０Ｂ）は、それぞれ左側に配置された左側搬送装置（１５）と右側に配置された右側搬送装置（１６）で構成され、
前記左側搬送装置（１５）の支持フレーム（１２Ｂ）の前部に前記刈刃装置（２０）の回転刃（２１）を設け、前記左側搬送装置（１５）の支持フレーム（１２Ｂ）の前後方向での中間部に該回転刃（２１）を駆動する駆動部（２３）を設け、
前記支持フレーム（１２Ｂ）における前記回転刃（２１）と駆動部（２３）の前後方向での間の部位に左右方向に延在する支軸（６５）を設け、該支軸（６５）に前記左側搬送装置（１５）の対地高さを測定する接地体（７１）の前部を支持し、
前記第１搬送装置（１０Ａ）と第２搬送装置（１０Ｂ）の前部を上下方向に移動させる昇降シリンダ（７４）を設け、
前記接地体（７１）の測定値に応じて昇降シリンダ（７４）を駆動させて、前記第１搬送装置（１０Ａ）と第２搬送装置（１０Ｂ）の前部を上下方向に移動させる構成としたことを特徴とする刈取前処理装置。
【請求項２】
平面視で前記接地体（７１）を駆動部（２３）よりも右側に設けた請求項１記載の刈取前処理装置。
【請求項３】
前記接地体（７１）は、支軸（６５）から後下がり傾斜する傾斜部（７１Ａ）と、下側向かって凸部を有する湾曲部（７１Ｂ）で形成した請求項１又は２記載の刈取前処理装置。
【発明の詳細な説明】
【技術分野】
【０００１】
本発明は、汎用コンバインの脱穀装置の前側に設けられる圃場の穀稈を収穫する刈取前処理装置に関する。
【背景技術】
【０００２】
従来、圃場を走行するゲージ輪の両側に左側搬送装置と右側搬送装置を支持し、ゲージ輪の上下方向の移動に連動して左側搬送装置と右側搬送装置を上下方向に移動させる構造を有する刈取前処理装置が提案されている。（特許文献１）
【先行技術文献】
【特許文献】
【０００３】
【特許文献１】特開２０１４−５４２６６号公報
【発明の概要】
【発明が解決しようとする課題】
【０００４】
しかし、従来の刈取前処理装置においては、ゲージ輪と搬送装置の下部に設けられた回転刃の左右方向の位置が異なるために、回転刃が圃場の畦に突っ込んで回転刃が損傷する恐れがあった。また、回転刃によって後側に飛ばされた小石等が回転刃を駆動するモータに衝突してモータを破損させる恐れがあった。そこで、本発明の主たる課題は、搬送装置の下部に設けられた回転刃の圃場への突っ込みを防止する構造を備える刈取前処理装置を提案することにある。
【課題を解決するための手段】
【０００５】
上記課題を解決した本発明は次記のとおりである。
請求項１に係る発明は、穀稈を搬送する搬送装置（１０）と、穀稈の株元を切断する刈刃装置（２０）と、搬送された穀稈を寄せ集めるオーガ装置（３０）と、寄せ集められた穀稈を脱穀装置（４）に搬送するフィーダハウス（４０）を備える刈取前処理装置において、
前記搬送装置（１０）は、左側に配置された第１搬送装置（１０Ａ）と右側に配置された第２搬送装置（１０Ｂ）で構成され、該第１搬送装置（１０Ａ）と第２搬送装置（１０Ｂ）は、それぞれ左側に配置された左側搬送装置（１５）と右側に配置された右側搬送装置（１６）で構成され、前記左側搬送装置（１５）の支持フレーム（１２Ｂ）の前部に前記刈刃装置（２０）の回転刃（２１）を設け、前記左側搬送装置（１５）の支持フレーム（１２Ｂ）の前後方向での中間部に該回転刃（２１）を駆動する駆動部（２３）を設け、前記支持フレーム（１２Ｂ）における前記回転刃（２１）と駆動部（２３）の前後方向での間の部位に左右方向に延在する支軸（６５）を設け、該支軸（６５）に前記左側搬送装置（１５）の対地高さを測定する接地体（７１）の前部を支持し、前記第１搬送装置（１０Ａ）と第２搬送装置（１０Ｂ）の前部を上下方向に移動させる昇降シリンダ（７４）を設け、前記接地体（７１）の測定値に応じて昇降シリンダ（７４）を駆動させて、前記第１搬送装置（１０Ａ）と第２搬送装置（１０Ｂ）の前部を上下方向に移動させる構成としたことを特徴とする刈取前処理装置である。
【０００６】
請求項２に係る発明は、平面視で前記接地体（７１）を駆動部（２３）よりも右側に設けた請求項１記載の刈取前処理装置である。
【０００７】
請求項３に係る発明は、前記接地体（７１）は、支軸（６５）から後下がり傾斜する傾斜部（７１Ａ）と、下側向かって凸部を有する湾曲部（７１Ｂ）で形成した請求項１又は２記載の刈取前処理装置である。
【発明の効果】
【０００８】
請求項１記載の発明によれば、搬送装置（１０）は、左側に配置された第１搬送装置（１０Ａ）と右側に配置された第２搬送装置（１０Ｂ）で構成され、第１搬送装置（１０Ａ）と第２搬送装置（１０Ｂ）は、それぞれ左側に配置された左側搬送装置（１５）と右側に配置された右側搬送装置（１６）で構成され、左側搬送装置（１５）の支持フレーム（１２Ｂ）の前部に刈刃装置（２０）の回転刃（２１）を設け、左側搬送装置（１５）の支持フレーム（１２Ｂ）の前後方向での中間部に回転刃（２１）を駆動する駆動部（２３）を設け、支持フレーム（１２Ｂ）における回転刃（２１）と駆動部（２３）の前後方向での間の部位に左右方向に延在する支軸（６５）を設け、支軸（６５）に左側搬送装置（１５）の対地高さを測定する接地体（７１）の前部を支持し、第１搬送装置（１０Ａ）と第２搬送装置（１０Ｂ）の前部を上下方向に移動させる昇降シリンダ（７４）を設け、接地体（７１）の測定値に応じて昇降シリンダ（７４）を駆動させて、第１搬送装置（１０Ａ）と第２搬送装置（１０Ｂ）の前部を上下方向に移動させる構成としたので、第１搬送装置（１０Ａ）の左側搬送装置（１５）と第２搬送装置（１０Ｂ）の左側搬送装置（１５）の対置高さを接地体（７１）により正確に測定でき、接地体（７１）の測定値に応じて第１搬送装置（１０Ａ）と第２搬送装置（１０Ｂ）の前部を迅速に上下方向に移動して、第１搬送装置（１０Ａ）の左側搬送装置（１５）に設けられた回転刃（２１）と第２搬送装置（１０Ｂ）の左側搬送装置（１５）に設けられた回転刃（２１）の圃場への突っ込みを防止することができる。
【０００９】
請求項２記載の発明によれば、請求項１記載の発明の効果に加えて、平面視で接地体（７１）を駆動部（２３）よりも右側に設けたので、第１搬送装置（１０Ａ）の左側搬送装置（１５）に設けられた回転刃（２１）と第２搬送装置（１０Ｂ）の左側搬送装置（１５）に設けられた回転刃（２１）の回転により後側に飛ばされる小石等の駆動部（２３）への衝突を削減して駆動部（２３）の破損を防止することができる。
【００１０】
請求項３記載の発明によれば、請求項１又は２記載の発明の効果に加えて、接地体（７１）は、支軸（６５）から後下がり傾斜する傾斜部（７１Ａ）と、下側向かって凸部を有する湾曲部（７１Ｂ）で形成したので、第１搬送装置（１０Ａ）の左側搬送装置（１５）に設けられた回転刃（２１）と第２搬送装置（１０Ｂ）の左側搬送装置（１５）に設けられた回転刃（２１）の回転により後側に飛ばされる小石等のオーガ装置（３０）内への浸入を防止することができる。また、接地体（７１）が圃場面上をスムーズに移動することができる。
【図面の簡単な説明】
【００１１】
【図１】汎用コンバインの平面図である。
【図２】刈取前処理装置の左側に配置された搬送装置の左側面図である。
【図３】刈取前処理装置の右側に配置された搬送装置の左側面図である。
【図４】刈取前処理装置の平面図である。
【発明を実施するための形態】
【００１２】
本発明の実施形態について図面を参照しながら説明する。なお、理解を容易にするために、操縦者から視て、前方を前側、後方を後側、右手側を右側、左手側を左側として方向を示しながら説明する。
【００１３】
図１に示すように、汎用コンバインは、機体フレーム１の下側に土壌面を走行する左右一対のクローラからなる走行装置２が配置され、機体フレーム１の前側に圃場の穀稈を収穫する刈取前処理装置３が配置され、刈取前処理装置３の後左側に収穫された穀稈の脱穀・選別処理を行なう脱穀装置４が配置されている。
【００１４】
刈取前処理装置３の後右側に操縦者が搭乗する操縦部５が配置され、操縦部５の後側に脱穀装置４で選別処理された穀粒を貯留するグレンタンク６が配置され、グレンタンク６の下部には、グレンタンク６に貯留された穀粒を外部に排出する排出筒７の下部が連通されている。
【００１５】
刈取前処理装置３は、圃場の穀稈を起立させながら後側に搬送する搬送装置１０と、搬送装置１０の下側に搬送される穀稈の株元を切断する刈刃装置２０と、搬送装置１０の後側に搬送された穀稈をオーガフレーム３１の送込口の前側に寄せ集めるオーガ３２を備えるオーガ装置３０と、オーガ装置３０の後側に送込口の前側に寄せ集められた穀稈を脱穀装置４に搬送するフィーダハウス４０から構成されている。
【００１６】
図２〜４には、圃場の２畦上に植えられた穀稈をオーガ装置３０に搬送する左側に配置された第１搬送装置１０Ａと右側に配置された第２搬送装置１０Ｂを備える搬送装置１０が示されている。第１搬送装置１０Ａと第２搬送装置１０Ｂの構成は実質的に同一であり、重複した説明を避けるために第１搬送装置１０Ａについてのみ説明して、同一部材には同一符号を付して説明を省略する。
【００１７】
第１搬送装置１０Ａは、左側に配置される左側搬送装置１５と、右側に配置される右側搬送装置１６から構成されている。また、左側搬送装置１５は、上側に配置される左上側搬送装置１１と、下側に配置される左下側搬送装置１２から構成され、右側搬送装置１６は、上側に配置される右上側搬送装置１３と、下側に配置される右下側搬送装置１４から構成されている。
【００１８】
左上側搬送装置１１は、ケース１１Ａの下側には、上下方向に所定の間隔を隔てて前後方向に延在する支持フレーム１１Ｂが設けられている。ケース１１Ａと支持フレーム１１Ｂの後部には、駆動用プーリを支持する上下方向に延在する回転軸１１Ｃが設けられ、ケース１１Ａと支持フレーム１１Ｂの前部には、従動用プーリを支持する上下方向に延在する回転軸１１Ｄが設けられている。また、駆動用プーリと従動用プーリには、穀稈を搬送する搬送ラグが所定の間隔で装着されたベルト１１Ｅが巻回られている。
【００１９】
左下側搬送装置１２は、ケース１２Ａの下側には、上下方向に所定の間隔を隔てて前後方向に延在する支持フレーム１２Ｂが設けられている。ケース１２Ａの後部とには、駆動用プーリを支持する上下方向に延在する回転軸１２Ｃが設けられ、ケース１２Ａと支持フレーム１２Ｂの前部には、従動用プーリを支持する上下方向に延在する回転軸１２Ｄが設けられている。また、支持フレーム１２Ｂの後部は、連結部材６０を介してエンジンの回転を伝動する縦伝動ケース５２の前部に固定され、駆動用プーリと従動用プーリには、穀稈を搬送する搬送ラグが所定の間隔で装着されたベルト１２Ｅが巻回られている。なお、縦伝動ケース５２の下部は、横伝動ケース５３の軸心回りに回動自在に支持されている。
【００２０】
回転軸１１Ｃの下部と回転軸１２Ｃの上部は、中空状に形成された連結軸５０を介して連結され、回転軸１２Ｃの下部は、中空状に形成された連結軸５１を介してエンジンの回転を伝動する縦伝動ケース５２に内装された縦伝動軸に連結されている。これにより、複雑な構成によることなくエンジンの回転を回転軸１１Ｃと回転軸１２Ｃに簡易に伝動することができる。また、左下側搬送装置１２の回転軸１２Ｄは、左上側搬送装置１１の回転軸１１Ｄよりも前側に配置されている。これにより、圃場に倒伏した穀稈を効率よく起立させてオーガ装置３０に搬送することができる。
【００２１】
支持フレーム１１Ｂの左面の前部と支持フレーム１２Ｂの左面の前部は、上下方向に延在する連結部材５４によって連結されている。これにより、支持フレーム１１Ｂと支持フレーム１２Ｂの前部を連結部材５４で連結し、支持フレーム１１Ｂと支持フレーム１２Ｂの後部を連結軸５０を介して回転軸１１Ｃと回転軸１２Ｃで連結して支持フレーム１１Ｂと支持フレーム１２Ｂの変形を防止することができる。また、連結部材５４の上部には、前後方向に延在する支持部材５５の後部が固定され、支持部材５５の前部には、圃場の穀稈を第１搬送装置１０Ａの内側と外側に分離する分草体５６が支持されている。これにより、分草体５６の前端部を２畦の左側の畦に左側に位置させて左側の畦に植えられた穀稈を効率よく第１搬送装置１０Ａ内に引込むことができる。
【００２２】
支持フレーム１２Ｂの下面の前部には、後下側に向かって延在した後に緩やかに後上側に向かって延在する前側支持部材６１が設けられ、前側支持部材６１には、刈刃装置２０の回転刃２１を支持する回転軸２２が設けられている。また、回転刃２１の前部は、回転軸１２Ｄの略下側に設けられ、回転刃２１は、支持フレーム１２Ｂよりも緩やかに後上がり傾斜して設けられている。これにより、第１搬送装置１０Ａによって搬送される穀稈の下部を効率よく切断し、第１搬送装置１０Ａにより搬送される穀稈の搬送通路の障害物になるのを防止することができる。
【００２３】
ケース１２Ａの左面の前後方向の中間部には、後下側に向かって延在する第１後側支持部材６２が設けられ、第１後側支持部材６２の下部には、後側に向かって延在した後に上側に向かって延在して連結部材６０に固定される第２後側支持部材６３が設けられている。第２後側支持部材６３の上面には、刈刃装置２０のモータ等の駆動部２３が固定され、駆動部２３の後部は、ケース１１Ａの左面の前後方向の中間部から後下側に向かって延在する第３後側支持部材６４の下部にも固定されている。これにより、刈刃装置２０の駆動部２３を支持フレーム１２Ｂの左面に近接して設けることができ、支持フレーム１２Ｂの下側に突出する駆動部２３の部位を小さくすることができる。
【００２４】
回転軸２２の上部に支持されたスプロケットと駆動部２３から下側に向かって延在する出力軸２４の下部に支持されたスプロケットには、チェン２５が巻回られている。
【００２５】
第１後側支持部材６２の右面の下部に形成された左右方向に延在する支軸６５には、第１搬送装置１０Ａの２畦の左側の畦からの高さを測定するセンサ７０が装着されている。センサ７０は、接地体７１と、接地体７１の回転角度を測定する測定部７２から構成されている。また、センサ７０の測定値に応じて第１搬送装置１０Ａと第２搬送装置１０Ｂの間に配置された昇降シリンダ７４を駆動して第１搬送装置１０Ａと第２搬送装置１０Ｂを上下方向に移動させる。これにより、左下側搬送装置１２等の前後方向の中間部位の畦からの高さを短時間で測定して左下側搬送装置１２等の下部の前部に設けた回転刃２１の畦への突っ込みを防止することができる。
【００２６】
板状に形成された接地体７１は、測定部７２に回転自在に支持された前部から後下部に向かって延在する傾斜部７１Ａと、傾斜部７１Ａの後部から圃場に向かって突部を有する略円弧状に形成された湾曲部７１Ｂと、湾曲部７１Ｂの後部から後上側に向かって延在する傾斜部７１Ｃから形成されている。接地体７１の左右方向の幅は、左上側搬送装置１１のケース１１Ａの前後方向の中間部の左右方向の幅の半分の寸法に形成され、平面視で接地体７１は、刈取装置２０の駆動部２３の右側に配置されている。これにより、回転刃２１の回転によって後上側に向かって跳ね上げられる圃場の土、小石等が傾斜部７１Ａに衝突させて、土、小石等の後側への飛散を防止することができる。また、湾曲部７１Ｂの曲率半径は、左上側搬送装置１１のケース１１Ａの前後方向の中間部の左右方向の幅の半分の寸法に形成されている。これにより、湾曲部７１Ｂが圃場の表面をスムーズに移動することができる。
【００２７】
右上側搬送装置１３は、ケース１３Ａの下側には、上下方向に所定の間隔を隔てて前後方向に延在する支持フレーム１３Ｂが設けられている。ケース１３Ａと支持フレーム１３Ｂの後部には、駆動用プーリを支持する上下方向に延在する回転軸１３Ｃが設けられ、ケース１３Ａと支持フレーム１３Ｂの前部には、従動用プーリを支持する上下方向に延在する回転軸１３Ｄが設けられている。また、駆動用プーリと従動用プーリには、穀稈を搬送する搬送ラグが所定の間隔で装着されたベルト１３Ｅが巻回られている。
【００２８】
右下側搬送装置１４は、ケース１４Ａの下側には、上下方向に所定の間隔を隔てて前後方向に延在する支持フレーム１４Ｂが設けられている。ケース１４Ａの後部とには、駆動用プーリを支持する上下方向に延在する回転軸１４Ｃが設けられ、ケース１４Ａと支持フレーム１４Ｂの前部には、従動用プーリを支持する上下方向に延在する回転軸１４Ｄが設けられている。また、支持フレーム１４Ｂの後部は、連結部材６０を介してエンジンの回転を伝動する縦伝動ケース５２の前部に固定され、駆動用プーリと従動用プーリには、穀稈を搬送する搬送ラグが所定の間隔で装着されたベルト１４Ｅが巻回られている。
【００２９】
回転軸１１Ｃの下部と回転軸１４Ｃの上部は、中空状に形成された連結軸５０を介して連結され、回転軸１４Ｃの下部は、中空状に形成された連結軸５１を介してエンジンの回転を伝動する縦伝動ケース５２に内装された縦伝動軸に連結されている。これにより、複雑な構成によることなくエンジンの回転を回転軸１３Ｃと回転軸１４Ｃに簡易に伝動することができる。また、右下側搬送装置１４の回転軸１４Ｄは、右上側搬送装置１３の回転軸１３Ｄよりも前側に配置されている。これにより、圃場に倒伏した穀稈を効率よく起立させてオーガ装置３０に搬送することができる。
【００３０】
支持フレーム１３Ｂの右面の前部と支持フレーム１４Ｂの右面の前部は、上下方向に延在する連結部材５４によって連結されている。これにより、支持フレーム１３Ｂと支持フレーム１４Ｂの前部を連結部材５４で連結し、支持フレーム１３Ｂと支持フレーム１４Ｂの後部を連結軸５０を介して回転軸１３Ｃと回転軸１４Ｃで連結して支持フレーム１３Ｂと支持フレーム１４Ｂの変形を防止することができる。また、連結部材５４の上部には、前後方向に延在する支持部材５５の後部が固定され、支持部材５５の前部には、圃場の穀稈を第１搬送装置１０Ａの内側と外側に分離する分草体５６が支持されている。これにより、分草体５６の前端部を２畦の左側の畦に右側に位置させて左側の畦に植えられた穀稈を効率よく第１搬送装置１０Ａ内に引込むことができる。
【００３１】
第１搬送装置１０Ａの左下側搬送装置１２の支持フレーム１２Ｂと右下側搬送装置１４の支持フレーム１４Ｂの後部は、左右方向に延在する連結部材７５で連結されている。同様に、第２搬送装置１０Ｂの左下側搬送装置１２の支持フレーム１２Ｂと右下側搬送装置１４の支持フレーム１４Ｂの後部は、左右方向に延在する連結部材７５で連結されている。
【００３２】
第１搬送装置１０Ａの右下側搬送装置１４の支持フレーム１４Ｂの中間部と第２搬送装置１０Ｂの左下側搬送装置１２の支持フレーム１２Ｂの中間部は、左右方向に延在する連結部材７６で連結されている。
【００３３】
平面視で第１搬送装置１０Ａの右側搬送装置１６と第２搬送装置１０Ｂの左側搬送装置１５の間には、第１搬送装置１０Ａの左下側搬送装置１２に設けられたセンサ７０と第２搬送装置１０Ｂの左下側搬送装置１２に設けられたセンサ７０の測定値に応じて伸縮する昇降シリンダ７４が設けられている。
【００３４】
昇降シリンダ７４の後部は、横伝動ケース５３をオーガ装置３０に固定する支持部材５８に支持された左右方向に延在する支軸５９に装着され、昇降シリンダ７４の前部は、連結部材７６に装着されている。これにより、第１搬送装置１０Ａの左下側搬送装置１２に設けられたセンサ７０と第２搬送装置１０Ｂの左下側搬送装置１２に設けられたセンサ７０の測定値に応じて、昇降シリンダ７４を駆動して第１搬送装置１０Ａと第２搬送装置１０Ｂを迅速に上下方向に移動させて、第１搬送装置１０Ａの左下側搬送装置１２に設けた回転刃２１と第２搬送装置１０Ｂの左下側搬送装置１２に設けた回転刃２１の畦への突っ込みを防止することができる。また、第１搬送装置１０Ａの左下側搬送装置１２に設けられたセンサ７０と第２搬送装置１０Ｂの左下側搬送装置１２に設けられたセンサ７０の測定値が異なる場合には、機体フレーム１の左右方向を上下方向に移動させるローリングシリンダを駆動させて機体フレーム１の左右方向を水平になるようにローリングさせる。
【００３５】
オーガ装置３０は、搬送装置１０によって搬送されてきた穀稈をオーガフレーム３１の後壁に開口された引継口の前側に寄集めてフィーダハウス４０に引継ぐ装置であり、機体の左右方向の幅と略同一幅に形成されている。
【００３６】
オーガフレーム３１の底壁の前部には、オーガフレーム３１の圃場からの高さを測定するセンサ３５が装着されている。また、オーガフレーム３１の左壁と右壁には、オーガ３２が架設され、オーガ３２の外周部には、搬送螺旋３３が形成され、オーガ３２の外周部におけるオーガフレーム３１の引継口に対向する部位には、オーガ３２の外周部に出没自在なフィンガ３４が設けられている。これにより、搬送装置１０によって搬送されてきた穀稈を引継口の前側に寄集めてフィーダハウス４０に効率よく引継ぐことができる。
【００３７】
フィーダハウス４０は、オーガ装置３０によって引継がれた穀稈を脱穀装置４に搬送する装置であり、オーガフレーム３１の後壁と脱穀装置４の間に設けている。また、フィーダハウス４０の下部には、オーガフレーム３１に設けられたセンサ３５の測定値に応じてフィーダハウス４０の昇降を行う昇降シリンダ（図示省略）が装着されている。これにより、刈取前処理装置３のオーガフレーム３１を圃場から所定の高さに維持して、搬送装置１０の分草体５６等の圃場への突っ込みを防止することができる。
【００３８】
＜他の刈取前処理装置＞
図１に示すように、他の刈取前処理装置３には、オーガ装置３０の前部の左側に第１搬送装置１０Ａと第２搬送装置１０Ｂを備える左側に配置された搬送装置１０と、オーガ装置３０の前部の右側に第１搬送装置１０Ａと第２搬送装置１０Ｂを備える右側に配置された搬送装置１０が配置されている。
【００３９】
左側に配置された搬送装置１０の第１搬送装置１０Ａと第２搬送装置１０Ｂは、第１搬送装置１０Ａの左下側搬送装置１２に設けられたセンサ７０と第２搬送装置１０Ｂの左下側搬送装置１２に設けられたセンサ７０の測定値に応じて昇降シリンダ７４が駆動して上下方向に移動する。また、右側に配置された搬送装置１０の第１搬送装置１０Ａと第２搬送装置１０Ｂは、第１搬送装置１０Ａの左下側搬送装置１２に設けられたセンサ７０と第２搬送装置１０Ｂの左下側搬送装置１２に設けられたセンサ７０の測定値に応じて昇降シリンダ７４が駆動して上下方向に移動する。これにより、左側に配置された搬送装置１０と右側に配置された搬送装置１０は独立して昇降させることにより圃場の穀稈の収穫ロスを軽減することができる。
【００４０】
オーガフレーム３１の左壁と右壁には、オーガ３２が架設されている。オーガ３２における第１搬送装置１０Ａの左側搬送装置１５と右側搬送装置１６の間に対応する部位と、第２搬送装置１０Ｂの左側搬送装置１５と右側搬送装置１６の間に対応する部位には、オーガ３２の外周部に出没自在なフィンガ３４が設けられている。これにより、搬送装置１０によって搬送されてきた穀稈をオーガ装置３０に効率よく搬送することができる。
【符号の説明】
【００４１】
１０      搬送装置
１０Ａ    第１搬送装置
１０Ｂ    第２搬送装置
１２Ｂ    支持フレーム
１５      左側搬送装置
１６      右側搬送装置
２０      刈刃装置
２１      回転刃
２３      駆動部
３０      オーガ装置
４０      フィーダハウス
６５      支軸
７１      接地体
７１Ａ    傾斜部
７１Ｂ    湾曲部
７４      昇降シリンダ
【図１】
2017209043.tif 000003
【図２】
2017209043.tif 000004
【図３】
2017209043.tif 000005
【図４】
2017209043.tif 000006